【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
リサイズ処理用として複数のリサイズアルゴリズムを備えていて、前記複数のリサイズアルゴリズム中のいずれかを用い、記録画像データに対してリサイズ処理を施して画像表示部の表示画素数に適合した表示画像データを生成し、当該の表示画像データに基づく表示画像を前記画像表示部に表示する画像再生表示装置であって、
前記複数のリサイズアルゴリズム中のいずれかを用いて生成された表示画像データのモアレ発生の程度を判定するモアレ判定部と、
前記複数のリサイズアルゴリズム中のいずれかを用いて表示画像データを生成し、前記画像表示部に出力する表示画像データ生成部であって、第１のリサイズアルゴリズムを用いて生成された表示画像データのモアレ発生の程度が、予め定められた基準以下であると前記モアレ判定部で判定された場合には前記第１のリサイズアルゴリズムを用いて生成された表示画像データを前記画像表示部に出力する一方、前記予め定められた基準を超すと前記モアレ判定部で判定された場合には、前記複数のリサイズアルゴリズム中における残りのリサイズアルゴリズムを用いて前記表示画像データを生成し、生成された表示画像データ中のモアレ発生の程度を、前記第１のリサイズアルゴリズムを用いて生成された表示画像データ中のモアレ発生の程度も含めて比較し、前記複数のリサイズアルゴリズムのうち、モアレ発生の程度の最も低いリサイズアルゴリズムで生成された表示画像データを前記画像表示部に出力するように構成される、表示画像データ生成部と、
を有することを特徴とする画像再生表示装置。
【請求項２】
リサイズ処理用として第１および第２のリサイズアルゴリズムからなる二種類のリサイズアルゴリズムを備えていて、記録画像データに対して前記二種類のリサイズアルゴリズム中のいずれかを用いてリサイズ処理を施して画像表示部の表示画素数に適合した表示画像データを生成し、当該の表示画像データに基づく表示画像を前記画像表示部に表示する画像再生表示装置であって、
前記第１のリサイズアルゴリズムを用いて生成された表示画像データのモアレ発生の程度を判定するモアレ判定部と、
前記複数のリサイズアルゴリズム中のいずれかを用いて表示画像データを生成し、前記画像表示部に出力する表示画像データ生成部であって、前記第１のリサイズアルゴリズムを用いて生成された表示画像データのモアレ発生の程度が、予め定められた基準以下であると前記モアレ判定部で判定された場合には前記第１のリサイズアルゴリズムを用いて生成された表示画像データを前記画像表示部に出力する一方、前記予め定められた基準を超すと前記モアレ判定部で判定された場合には、前記第２のリサイズアルゴリズムを用いて表示画像データを生成し、前記画像表示部に出力するように構成される、表示画像データ生成部と
を有することを特徴とする画像再生表示装置。
【請求項３】
前記第２のリサイズアルゴリズムが、前記記録画像データに基づく画像の空間周波数成分中で、リサイズ処理によってモアレを生じる原因となっている空間周波数成分を減衰または除去する処理を前記記録画像データに施した後にリサイズする処理を含むことを特徴とする請求項２に記載の画像再生表示装置。
【請求項４】
前記第２のリサイズアルゴリズムが、前記第１のリサイズアルゴリズムを用いて生成される表示画像データに基づく表示画像中でモアレを生じる領域を検出し、前記表示画像中でモアレを生じる領域に対応する前記記録画像データ中のデータにのみ、リサイズ処理によってモアレを生じる原因となっている空間周波数成分を減衰または除去する処理をする手順を含むことを特徴とする、請求項２に記載の画像再生表示装置。
【請求項５】
前記モアレ判定部は、前記表示画像データに二次元フーリエ変換処理をして得られる表示画像データの空間周波数スペクトラムを解析してモアレ由来のスペクトルパターンを検出し、そのスペクトルパターンの強度から表示画像中のモアレ発生の程度を判定することを特徴とする請求項１から４のいずれか一つに記載の画像再生表示装置。
【請求項６】
前記記録画像データを記録する際、前記第１のリサイズアルゴリズムを用いて生成された表示画像データのモアレが検出され、前記モアレの発生レベルが予め定められた基準を超すときに、前記モアレ発生の程度の判定結果に関連する情報であるモアレ情報が前記記録画像データに付加され、
前記モアレ判定部は、第１のリサイズアルゴリズムを用いて生成された表示画像データの前記モアレ発生の程度を、前記モアレ情報を参照して判定する
ことを特徴とする請求項１から５のいずれか一つに記載の画像再生表示装置。
【手続補正２】
【補正対象書類名】明細書
【補正対象項目名】発明の名称
【補正方法】変更
【補正の内容】
【発明の名称】画像再生表示装置
【手続補正３】
【補正対象書類名】明細書
【補正対象項目名】０００１
【補正方法】変更
【補正の内容】
【０００１】
本発明は、画像再生表示装置に関する。
【手続補正４】
【補正対象書類名】明細書
【補正対象項目名】００１１
【補正方法】変更
【補正の内容】
【００１１】
（１）  本発明の第１の態様は、リサイズ処理用として複数のリサイズアルゴリズムを備えていて、前記複数のリサイズアルゴリズム中のいずれかを用い、記録画像データに対してリサイズ処理を施して画像表示部の表示画素数に適合した表示画像データを生成し、当該の表示画像データに基づく表示画像を前記画像表示部に表示する画像再生表示装置に適用される。そしてこの画像再生表示装置が、
前記複数のリサイズアルゴリズム中のいずれかを用いて生成された表示画像データのモアレ発生の程度を判定するモアレ判定部と、
前記複数のリサイズアルゴリズム中のいずれかを用いて表示画像データを生成し、前記画像表示部に出力する表示画像データ生成部であって、第１のリサイズアルゴリズムを用いて生成された表示画像データのモアレ発生の程度が、予め定められた基準以下であると前記モアレ判定部で判定された場合には前記第１のリサイズアルゴリズムを用いて生成された表示画像データを前記画像表示部に出力する一方、前記予め定められた基準を超すと前記モアレ判定部で判定された場合には、前記複数のリサイズアルゴリズム中における残りのリサイズアルゴリズムを用いて前記表示画像データを生成し、生成された表示画像データ中のモアレ発生の程度を、前記第１のリサイズアルゴリズムを用いて生成された表示画像データ中のモアレ発生の程度も含めて比較し、前記複数のリサイズアルゴリズムのうち、モアレ発生の程度の最も低いリサイズアルゴリズムで生成された表示画像データを前記画像表示部に出力するように構成される、表示画像データ生成部と、
を有することにより上述した課題を解決する。
（２）  本発明の第２の態様は、リサイズ処理用として第１および第２のリサイズアルゴリズムからなる二種類のリサイズアルゴリズムを備えていて、記録画像データに対して前記二種類のリサイズアルゴリズム中のいずれかを用いてリサイズ処理を施して画像表示部の表示画素数に適合した表示画像データを生成し、当該の表示画像データに基づく表示画像を前記画像表示部に表示する画像再生表示装置に適用される。この画像再生表示装置は、
前記第１のリサイズアルゴリズムを用いて生成された表示画像データのモアレ発生の程度を判定するモアレ判定部と、
前記複数のリサイズアルゴリズム中のいずれかを用いて表示画像データを生成し、前記画像表示部に出力する表示画像データ生成部であって、前記第１のリサイズアルゴリズムを用いて生成された表示画像データのモアレ発生の程度が、予め定められた基準以下であると前記モアレ判定部で判定された場合には前記第１のリサイズアルゴリズムを用いて生成された表示画像データを前記画像表示部に出力する一方、前記予め定められた基準を超すと前記モアレ判定部で判定された場合には前記第２のリサイズアルゴリズムを用いて表示画像データを生成し、前記画像表示部に出力するように構成される、表示画像データ生成部と
を有する。
【手続補正５】
【補正対象書類名】明細書
【補正対象項目名】００３２
【補正方法】変更
【補正の内容】
【００３２】
モアレレベルの検出方法について図３Ａ、図３Ｂ、図４Ａ、図４Ｂ、図５Ａ、図５Ｂを参照して説明する。図３Ａ、図４Ａ、図５Ａは、モアレを生じている表示画像の例を示し、生じているモアレの強度は図３Ａが一番強く、図５Ａが一番弱く、そして図４Ａが中間の強度となっている。図３Ｂ、図４Ｂ、図５Ｂは、図３Ａ、図４Ａ、図５Ａに示す表示画像の画像データを二次元フーリエ変換して得られた空間周波数スペクトル強度をｕｖ座標上にプロットしたものを示す。